(57)【要約】【課題】中性線欠相保護付き開閉器を使用することなく定格電圧が異なる分岐配線を行うことができる単相３線式分電盤を提供する。【解決手段】単相３線式分電盤において、分岐開閉器と接続する母線を、電圧がかかった２本の電源母線４ａ、４ｃと電圧のかからない１本の中性母線４ｂとで構成して、前記２本の電源母線のうち１本の電源母線を前記中性母線と他の１本の電源母線とでそれぞれ１００Ｖ回路と２００Ｖ回路を形成する共通電源母線として、前記共通電源母線と中性母線のみで形成した１００Ｖ回路と、共通電源母線と他の１本の電源母線とで形成された２００Ｖ回路よりなるものとする。【選択図】図３
2010263674.tif 000002
【特許請求の範囲】
【請求項１】
単相３線式分電盤において、
分岐開閉器と接続する母線を、電圧がかかった２本の電源母線と電圧のかからない１本の中性母線とで構成して、
前記２本の電源母線のうち１本の電源母線を、前記中性母線と他の１本の電源母線とでそれぞれ１００Ｖ回路と２００Ｖ回路を形成する共通電源母線として、
前記共通電源母線と中性母線のみで形成した１００Ｖ回路と、
共通電源母線と他の１本の電源母線とで形成された２００Ｖ回路よりなることを特徴とする単相３線式分電盤。
【請求項２】
分岐開閉器がプラグイン型の分岐開閉器であり、
前記母線は上下に間隔をおいて３段に配置し、
前記中性母線と前記他の1本の電源母線は上下に互いに重ならないように前記分岐開閉器の短手方向に配置し、
前記共通電源母線は前記中性母線と前記他の１本の電源母線の双方に対応するように前記分岐開閉器の短手方向に配置した構成である
請求項１に記載の単相３線式分電盤。
【請求項３】
前記他の１本の電源母線と中性母線は併用可能な形状の板状母線バーで構成した請求項１又は２に記載の単相３線式分電盤。
【発明の詳細な説明】
【技術分野】
【０００１】
本発明は、中性線欠相保護付き開閉器を使用することなく定格電圧が異なる分岐配線を行うことができる単相３線式分電盤に関するものである。
【背景技術】
【０００２】
従来の単相３線式分電盤は断線、接続部の弛みなどにより中性線が欠相した場合に負荷側に接続しているインピーダンス（抵抗）の差により電圧が不均衡となり片側の電路に正常値を越える電圧がかかり、電気機器の絶縁劣化、焼損事故を招く危険性がある。これを防止するため、中性線において異常があった場合には信号を検知し遮断を行うことのできる中性欠相保護付き開閉器を備えたものを使用する必要がある（例えば、特許文献１参照）。
【０００３】
ところが、仮設用、工事現場など負荷配線の数が少ない箇所に設置する単相３線式分電盤にあっても前記した中性欠相保護付き開閉器を備える必要がある。
しかしながら、中性欠相保護付き開閉器は高価であること、また、負荷配線が少ないにも関わらず分電盤自体が大型化する問題がある。
【０００４】
また、中性欠相保護付き開閉器を使用することなく電圧の不均衡を防止するため負荷をすべて同一の相に接続する単相２線式の分岐回路のみで構成される分電盤により対応することもできるが、これは１００Ｖ回路専用もしくは２００Ｖ回路専用となり併用ができず、両回路を使用したい場合は分電盤を更に1台用意する必要があった。
【先行技術文献】
【特許文献】
【０００５】
【特許文献１】実用新案登録第２５７０９０８号公報
【発明の概要】
【発明が解決しようとする課題】
【０００６】
本発明は、中性線欠相保護付き開閉器を使用することなく中性線が欠相した場合に１００Ｖ回路の負荷側の電路に正常値を越える電圧がかかって電気機器の絶縁劣化、焼損事故を招くことがなく、また、定格電圧が異なる２００Ｖ配線も行うことができる単相３線式分電盤を提供する。
【課題を解決するための手段】
【０００７】
本発明に係る単相３線式分電盤は、単相３線式分電盤において分岐開閉器と接続する母線を、電圧がかかった２本の電源母線と電圧のかからない１本の中性母線とで構成して、前記２本の電源母線のうち１本の電源母線を前記中性母線と他の１本の電源母線とでそれぞれ１００Ｖ回路と２００Ｖ回路を形成する共通電源母線として、前記共通電源母線と中性母線のみで形成した１００Ｖ回路と、共通電源母線と他の１本の電源母線とで形成された２００Ｖ回路よりなることを特徴とするものを基本の発明とする。
【０００８】
また、前記の発明において、分岐開閉器がプラグイン型の開閉器であり、前記母線は上下に間隔をおいて３段に配置し、前記中性母線と前記他の1本の電源母線は上下に互いに重ならないように前記分岐開閉器の短手方向に配置し、前記共通電源母線は前記中性母線と前記他の１本の電源母線の双方に対応するように前記分岐開閉器の短手方向に配置した構成であることがより好ましく、さらに、前記他の１本の電源母線と中性母線は併用可能な形状の板状母線バーで構成することが好ましいものである。
【発明の効果】
【０００９】
本発明に係る単相３線式分電盤は、分岐開閉器と接続する母線を、電圧がかかった２本の電源母線のうち１本の電源母線を中性母線と他の１本の電源母線とでそれぞれ１００Ｖ回路と２００Ｖ回路を形成する共通電源母線としている。これにより、１つの１００Ｖ回路は前記共通電源母線と中性母線のみで形成されるので中性線が欠相しても中性線欠相保護付き開閉器を使用していなくとも負荷側の電路に正常値を越える電圧がかかって電気機器の絶縁劣化、焼損事故を招くことがないものである。また、共通電源母線と他の１本の電源母線により定格電圧が異なる２００Ｖ回路を形成することができるものである。
【００１０】
また、前記の発明において、前記他の１本の電源母線と中性母線は併用可能な形状の板状母線バーで構成することにより、板状母線バーの製造及び在庫管理に掛かるコストを低くすることができるものである。さらに、分岐開閉器がプラグイン型の分岐開閉器とすると分岐開閉器の増設、交換が容易なものとなる。
【図面の簡単な説明】
【００１１】
【図１】第１の実施形態を示す斜視図。
【図２】第１の実施形態を示す正面図。
【図３】第１の実施形態を分岐開閉器を除いて示す斜視図。
【図４】第１の実施形態を分岐開閉器を除いて端子台と電源母線、中性母線との関係を示す斜視図。
【図５】第２の実施形態を分岐開閉器を除いて示す斜視図。
【図６】第２の実施形態を分岐開閉器を除いて端子台と電源母線、中性母線との関係を示す斜視図。
【図７】第２の実施形態に使用する他の電源母線と中性母線に併用できる板状母線バーを示す斜視図。
【発明を実施するための形態】
【００１２】
次に本発明の実施形態を図に基づいて説明する。
〔第１の実施形態〕
先ず、図１−図４に示す第１の実施形態について説明する。
図１において、１は本発明に係る単相３線式分電盤の箱本体であり、該箱本体１は前面開口１ａを図示を略した扉により開閉するものである。前記箱本体１の背面１１の上部に単相３線の電線を引き込む電線孔１１ａを設けてある。また、前記背面１１には前記電線孔１１ａから引き込んだＬ１相、Ｎ相、Ｌ２相の電線と接続する電源側端子部２１と複数の分岐開閉器３に分岐配線する３本の電源母線４と接続する負荷側端子部２２を設けた端子台２が取り付けられている。
【００１３】
前記端子台２は電源側端子部２１を単相３線の電源線（Ｌ１相）、中性線（Ｎ相）、電源線（Ｌ２相）に対応させてＬ１相用接続端子２１ａとＬ２相用接続端子２１ｃを前記端子台２の左右方向の両側に、Ｎ相用接続端子２１ｂを前記端子台２の左右方向の中間に配置している。また、負荷側端子部２２は分岐開閉器３と接続する３本の母線４である電圧がかかった２本の電源母線（Ｌ１相）４ａ、電源母線（Ｌ２相）４ｃと電圧のかからない１本の中性母線（Ｎ相）４ｂに対応させて前記端子台２の左右方向の両側にＬ１相用端子２２ａとＬ２相用端子２２ｃを前記端子台２の左右方向の中間にＮ相用端子２２ｂを配置したものである。
【００１４】
前記２本の２本の電源母線（Ｌ１相）４ａ、電源母線（Ｌ２相）４ｃのうち１本のすなわち電源母線（Ｌ２相）４ｃを前記中性母線（Ｎ相）４ｂと他の１本の電源母線（Ｌ１相）４ａとでそれぞれ１００Ｖ回路と２００Ｖ回路を形成する共通電源母線４ｃとして、該共通電源母線（Ｌ２相）４ｃと中性母線（Ｎ相）４ｂのみで形成した回路と該共通電源母線（Ｌ２相）４ｃと他の１本の電源母線（Ｌ１相）４ａとで形成された回路を形成して、前記複数の分岐開閉器３のうち共通電源母線（Ｌ２相）４ｃと中性母線（Ｎ相）４ｂに接続した分岐開閉器３ａを１００Ｖの負荷配線用に、共通電源母線（Ｌ２相）４ｃと他の１本の電源母線（Ｌ１相）４aに接続した分岐開閉器３ｂを２００Ｖの負荷配線用としている。
【００１５】
また、前記２本の電源母線（Ｌ１相）４ａ、電源母線（Ｌ２相）４ｃ及び中性母線（Ｎ相）４ｂと分岐開閉器３との接続は各電源母線４ａ、４ｃ、４ｂを板状母線バーよりなるものとして、上下に間隔をおいて上から順に中性母線（Ｎ相）４ｂ、電源母線（Ｌ１相）４ａ、電源母線（Ｌ２相）４ｃと３段に配置したものである。そして、前記中性母線（Ｎ相）４ｂと前記他の1本の電源母線（Ｌ１相）４ａは上下に互いに重ならないように前記分岐開閉器３の短手方向に配置し、前記共通電源母線（Ｌ２相）４ｃは前記中性母線（Ｎ相）４ｂと前記他の１本の電源母線（Ｌ１相）４ａの双方に対応するように前記分岐開閉器３の短手方向に配置した構成としている。なお、図示のものは上下２段の中性母線（Ｎ相）４ｂと電源母線（Ｌ１相）４ａは上下に互いに重なる部分がなく端子台２の左右方向において分離するように配置し、また、最下段の電源母線（Ｌ２相）４ｃは前記中性母線（Ｎ相）４ｂと電源母線（Ｌ１相）４ａの双方に対応するように端子台２の左右方向全体に亘り配置している。
【００１６】
すなわち、この実施形態では図２、図３及び図４に示すように、前記電源母線（Ｌ１相）４ａは前記Ｌ１相用端子２２ａと接続する取付板部５０の先端に下向きの屈曲板部５１を介して延出させたうえ前記端子台２の左右方向に前記Ｎ相用端子２２ｂの中間まで延出させてなる導電バー板部５２を形成した板状母線バー５ａからなるものとしている。また、前記中性母線（Ｎ相）４ｂは前記Ｎ相用端子２２ｂと接続する取付板部５０の先端に上向きの屈曲板部５１を介して前記端子台２の左右方向のＮ相用端子２２ｂの中間から延出させたうえ前記端子台２の左右方向の右端に延出させてなる導電バー板部５２を形成した板状母線バー５ｂよりなるものとしている。さらに、前記電源母線（Ｌ２相）４ｃはＬ２相用端子２２ｃと接続する取付板部５０の先端に下向きの屈曲板部５１を介して延出させたうえ前記端子台２の左右方向の全体に亘り延出させてなる導電バー板部５２を形成した板状母線バー５ｃよりなるものとしている。そして、最下段の前記電源母線（Ｌ２相）４ｃを上に位置する前記中性母線（Ｎ相）４ｂと電源母線（Ｌ１相）４ａとでそれぞれ１００Ｖと２００Ｖとの回路を形成する共通電源母線（Ｌ２相）４ｃとしたものである。
【００１７】
前記分岐開閉器３はその短手方向に前記上下に間隔をおいて３段に配置した板状母線バーよりなる中性母線（Ｎ相）４ｂ、電源母線（Ｌ１相）４ａ及び電源母線（Ｌ２相）４ｃに対応した３本の横溝３１を形成して各横溝３１にプラグイン端子金具３２を設けたプラグイン型の分岐開閉器３としたものである。そして、該プラグイン型の分岐開閉器３は最下段のプラグイン端子金具３２は共通電源母線（Ｌ２相）４ｃと接続して、前記したとおり互いに重なる部分なく端子台２の左右方向において分離するように上下２段に配置した中性母線（Ｎ相）４ｂと電源母線（Ｌ１相）４ａに該プラグイン型の分岐開閉器３の上下２段のプラグイン端子金具３２、３２のどちらか一方が接続して、中性母線（Ｎ相）４ｂに接続したものが１００Ｖ回路を形成して、電源母線（Ｌ１相）４ａに接続したものが２００Ｖ回路を形成するものである。
【００１８】
前記中性母線（Ｎ相）４ｂと電源母線（Ｌ１相）４ａは端子台２の左右方向において分離して上下に重なる部分がなく配置してあるので、プラグイン型の分岐開閉器３は前記中性母線（Ｎ相）４ｂと電源母線（Ｌ１相）４ａとに対応する箇所に取り付けることにより、１００Ｖ回路と２００Ｖ回路の配線を自動的に行うことができるものである。
【００１９】
前記したように形成された１００Ｖ回路は電圧のかかる電源母線のうち共通電源母線（Ｌ２相）４ｃと中性母線（Ｎ相）４ｂにのみに形成されているので、中性線が欠相しても負荷側の電路に正常値を越える電圧がかかって電気機器の絶縁劣化、焼損事故を招くことがないものである。
【００２０】
また、前記したように共通電源母線（Ｌ２相）４ｃと他の１本の電源母線（Ｌ１相）４ａにより定格電圧が異なる２００Ｖ回路を形成することができるものである。このように中性線欠相保護付き開閉器を使用することなく定格電圧が異なる１００Ｖと２００Ｖとの分岐配線を安定して行うことができるものである。なお、６は前記プラグイン型の分岐開閉器３を取り付けるための箱本体１の背面に設けた取付台であり、プラグイン型の分岐開閉器３をワンタッチにより取り付けできる構造としている。
なお、
【００２１】
〔第２の実施形態〕
続いて、図５−図７に示す第２の実施形態について説明する。
この第２の実施形態のものは、前記第１の実施形態とは相違は２本の電源母線（Ｌ１相）４ａ、電源母線（Ｌ２相）４ｃのうち共通電源母線（Ｌ２相）４ｃを形成しない他の１本の電源母線（Ｌ１相）４ａと前記中性母線（Ｎ相）４ｂとが併用できる板状母線バー５ａ、５ｂで構成されていることである。
以下、この相違する構成を主に説明して、他の構成の説明は図に第１の実施形態に付した同一符合を付して第１の実施形態の説明を援用する。
【００２２】
先ず、箱本体１の背面１１の上部に設けた電線孔１１ａから引き込んだＬ１相、Ｎ相、Ｌ２相の電線と接続する電源側端子部２１と複数の分岐開閉器３に分岐配線する３本の電源母線４と接続する負荷側端子部２２を設けた端子台２を次のような構成としている。
【００２３】
すなわち、前記端子台２は電源側端子部２１を単相３線の電源線（Ｌ１相）、中性線（Ｎ相）、電源線（Ｌ２相）に対応させてＬ１相用接続端子２１ａとＮ相用接続端子２１ｂを前記端子台２の左右方向の両側に、Ｌ２相用接続端子２１ｃを前記端子台２の左右方向の中間に配置している。また、負荷側端子部２２は分岐開閉器３と接続する３本の母線４である電圧がかかった２本の電源母線（Ｌ１相）４ａ、電源母線（Ｌ２相）４ｃと電圧のかからない１本の中性母線（Ｎ相）４ｂに対応させて前記端子台２の左右方向の両側にＬ１相用端子２２ａとＮ相用端子２２ｂを前記端子台２の左右方向の中間にＬ２相用端子２２ｃを配置したものである。
【００２４】
また、前記２本の電源母線（Ｌ１相）４ａ、電源母線（Ｌ２相）４ｃ及び中性母線（Ｎ相）４ｂを分岐開閉器３への接続は各電源母線４ａ、４ｃ、４ｂを板状母線バーよりなるものとして、上下に間隔をおいて上から順に中性母線（Ｎ相）４ｂ、電源母線（Ｌ１相）４ａ、電源母線（Ｌ２相）４ｃと３段に配置している。
【００２５】
そして、上下２段の中性母線（Ｎ相）４ｂと電源母線（Ｌ１相）４ａは上下に互いに重なる部分がなく端子台２の左右方向において分離するように配置し、また、最下段の電源母線（Ｌ２相）４ｃは前記中性母線（Ｎ相）４ｂと電源母線（Ｌ１相）４ａに対応するように端子台２の左右方向全体に亘り配置して、上下において前記中性母線（Ｎ相）４ｂとの１００Ｖの回路と電源母線（Ｌ１相）４ａとの２００Ｖとの回路を形成する共通電源母線（Ｌ２相）４ｃとしたものである。
【００２６】
また、前記したとおり上下２段の中性母線（Ｎ相）４ｂと電源母線（Ｌ１相）４ａとは互いに重なることなく端子台２の左右方向において分離するように配置したものであり、また、これら中性母線（Ｎ相）４ｂと電源母線（Ｌ１相）４ａは前記した端子台２の負荷側端子部２１の左右方向の両側に配置したＬ１相用端子２２ａとＮ相用端子２２ｂに接続するものである。
【００２７】
具体的には、前記中性母線（Ｎ相）４ｂはＮ相用端子２２ｂと接続する取付板部５０の先端に上向きの屈曲板部５１を介して延出させたうえ前記端子台２の左右方向の内側に延出させてなる導電バー板部５２を形成した板状母線バー５ｂよりなるものとし、また、前記電源母線（Ｌ１相）４ａはＬ１相用端子２２ａと接続する取付板部５０の先端に下向きの屈曲板部５１を介して延出させたうえ前記端子台２の左右方向の内側に延出させてなる導電バー板部５２を形成した板状母線バー５ｂよりなるものとしている。さらに、前記電源母線（Ｌ２相）４ｃはＬ２相用端子２２ｃと接続する取付板部５０の先端に下向きの屈曲板部５１を先端両側に前記端子台２の左右方向の全体に亘り延出させてなる導電バー板部５２を形成した板状母線バー５ｃよりなるもとしている。
【００２８】
これにより、前記中性母線（Ｎ相）４ｂと電源母線（Ｌ１相）４ａとなる前記両板状母線バー５ｂ、５ａは図７に示すように同じＬ字の形状のものを上下反転したものとなり、中性母線（Ｎ相）４ｂと電源母線（Ｌ１相）４ａは併用可能な形状に構成することができるものであり、製造及び在庫管理に掛かるコストを低くすることができるものである。
【００２９】
なお、前記の何れの実施形態においても、共通電源母線（Ｌ２相）４ｃと他の１本の電源母線（Ｌ１相）４aに逆の相の電圧を流しても良いことは勿論である。また、１００Ｖの回路と２００Ｖの回路に限らずに異なる定格電圧で使用しても良いことは勿論である。さらに、板状母線バーに形成した中性母線（Ｎ相）４ｂ、電源母線（Ｌ１相）４ａ、電源母線（共通母線）（Ｌ２相）４ｃは端子台２を設けないものにあっては、母線支持台に保持させて直接これに電源を接続することは勿論である。
【符号の説明】
【００３０】
３  分岐開閉器
４  母線
4a  電源母線
4b  中性母線
4c  電源母線（共通電源母線）
5a  板状母線バー
5b  板状母線バー
5c  板状母線バー
【図１】
2010263674.tif 000003
【図２】
2010263674.tif 000004
【図３】
2010263674.tif 000005
【図４】
2010263674.tif 000006
【図５】
2010263674.tif 000007
【図６】
2010263674.tif 000008
【図７】
2010263674.tif 000009